(57)【要約】【課題】  ジャックコネクタの提供。【解決手段】本考案は一種のジャックコネクタを公開し、本体及びシールドケースを包括する。シールドケース前端は下向きに折れ曲がり弾性ストッパー片を形成し、ストッパー片の下端は前向きに折れ曲がって弧形指状部となる。本体前端には後ろ向きにホールドスペースを設け、ホールドスペース両側には内向きに突起を設けて、突起の後端下部を後ろ向きに突出させて突起台を形成し、突起台の外側下向きに収容部を設けて指状部を収容する。突起台の後壁は底壁と弧形を呈するスライド部を形成する。当該ジャックコネクタと接続されたプラグが思いがけず引っ張られた時、プラグのロック片がストッパー片の弧形指状部に当てると共に変位が起こり、指状部の弧形設計により、ロック片は本体突起台の弧形スライド部に沿って外向きに退出され、すぐプラグをスピーディーにジャックコネクタから外すことができ、本考案のジャックコネクタを取り付けた設備が引っ張られたり、落ちて壊れないようにすることができる。【選択図】        図２
0003124414.tif 000002
【実用新案登録請求の範囲】
【請求項１】
本体、複数の導電端子及び複数の導電端子を含み、
本体は挿入接続面を有し、挿入接続面は後ろ向きにホールドスペースを設け、  ホールドスペースの両側壁にはそれぞれ内向きに突出する突起を形成し、
複数の導電端子は本体のホールドスペース内に挿入して設置し、
シールドケースは本体外部に止め合わされ、
その特徴は、当該突起の後端下部が後ろ向きに突出して突起台を形成し、その突起台の後壁が底壁と弧形ブリッジを呈するスライド部を形成し、その突起台は外側に収容部を設け、その収容部は突起台のトップ面と互いに貫通し、且つその収容部は後ろ向きにそのホールドスペースと連通し、そのシールドケースのトップ面前端の両側はまっすぐ下向きに折れ曲がり一対のストッパー片を形成し、各ストッパー片の下端は前向きに折れ曲がり弧形の指状部をなし、その指状部はその収容部の底部と近く、また収容部の後方に位置することを特徴とするジャックコネクタ。
【請求項２】
当該突起台のトップ面外側が上下貫通してその収容部を形成し、当該ストッパー片下端の外側は前向きに折れ曲がってその指状部を形成し、指状部はその収容部内に置かれることを特徴とする請求項１記載のジャックコネクタ。
【請求項３】
当該突起台トップ面の外側が下向きに凹んで収容部を形成し、収容部底部は突起台のトップ面より低くて、当該ストッパー片の外側下端は前向きに折れ曲がってその指状部を形成し、当該指状部はその収容部内に置かれ、そのストッパー片の内側下端をカットすると共に突起台トップ面の上方に位置することを特徴とする請求項１記載のジャックコネクタ。
【請求項４】
さらにその本体のホールドスペース内に組み込まれる端子台を包括し、その端子台内には複数の端子スロットが設けられ、その複数の端子は複数の端子スロット内に挿入設置されることを特徴とする請求項１記載のジャックコネクタ。
【請求項５】
当該本体が底台及び蓋を包括し、その端子のホールドスペースがその底台内に設けられ、そのシールドケースは上シールドケース及び下シールドケースを包括することを特徴とする請求項１記載のジャックコネクタ。
【請求項６】
当該底台が二つの側壁を有し、その側壁は台型凹口を設け、当該台型凹口はそのホールドスペースと連通し、その台型凹口内には弾性耐圧片が設けられ、当該弾性耐圧片は水平な弾性トップホールド部を有すると共にそのホールドスペース内へ突き出していることを特徴とする請求項５記載ののジャックコネクタ。
【請求項７】
当該側壁には長型ノッチを開けると共に当該ホールドスペースと互いに連通し、その下シールドケースの各側は内向きに突き出して弾性クリップ片を形成し、当該弾性クリップ片はその長型ノッチを貫通すると共にそのホールドスペース内へ突き出していることを特徴とする請求項６記載ののジャックコネクタ。
【考案の詳細な説明】
【技術分野】
【０００１】
本考案はジャックコネクタに関するもので、特にプラグの抜き取りに対し便利な構造を有するジャックコネクタである。
【背景技術】
【０００２】
ジャックコネクタは広く固定電話、コンピューターなどの製品に用いられ、またプラグを挿し込むことで外部電子設備間と電気信号の伝達を達成する。
【０００３】
一般に、ジャックコネクタを接続するプラグ間と安定的接続を達成するため、ジャックコネクタ上には相応のロック構造が設けられ、プラグをジャックコネクタと安定的に接続させ、電気信号の安定的伝達を確保している。周知のジャックコネクタは本体、複数の端子及びケースを包括する。本体内部に複数の端子スロット及びホールドスペースを設け、ホールドスペースの前端壁は突出しストッパー部を形成し、複数の端子は対応する複数の端子スロット内に収容されている。
【０００４】
図１０に示すように、上記の周知のジャックコネクタを挿入するプラグ８０はプラグ本体を有し、プラグ本体前端面には後ろ向きに角型ブロック８１を一体形成し、角型ブロック８１後端は上向きに傾斜して弾性的ロック片８２を形成し、ロック片８２後端のほぼ中央部には後ろ向きに押さえ用板８３が延長されている。押さえ用板８３前端の両側に位置するロック片８２後端にはトップホールド部８４を形成し、プラグ本体内部には複数の導電端子(図は未表示)を設置する。プラグ８０を上記の周知のジャックコネクタに挿入する時、押さえ用板８３を下向きに押さえながら、プラグ本体のロック片８２はジャックコネクタのホールドスペースへ入り、押さえ用板８３を放した後、ロック片８２のトップホールド部８４が弾性変形で上向きに回復し、またジャックコネクタのストッパー部が当たり、これにより、プラグ８０がジャックコネクタのホールドスペース内から抜け出すのを防止する。プラグ８０を抜く時は、手でプラグ８０の押さえ用板８３を押さえることで、ロック片８２を下向きに弾性変形させ、ジャックコネクタのストッパー部から外して、プラグ８０を抜き出す。
【０００５】
上記の周知の技術のジャックコネクタでは、プラグ８０をジャックコネクタから分離する時、押さえ用板８３を押さえ続け、ロック片８２を下向きに変形させて、ジャックコネクタのストッパー部から外した後、やっとプラグ８０を抜き出すことができる。
【０００６】
しかし、プラグ８０と接続するケーブルが思いがけず引っ張られた時、プラグ８０は上記の周知のジャックコネクタとロック結合されたままで外れず、そのジャックコネクタと接続した電子製品が引っ張られ落ちて壊れたり、ジャックコネクタが外部の引っ張り作用を受けて破損し、ジャックコネクタが使用できなくなる。
【考案の開示】
【考案が解決しようとする課題】
【０００７】
本考案の目的は、下記のものを包括するジャックコネクタを提供することである。本体は、挿入接続面を有し、挿入接続面は後ろ向きにホールドスペースを設け、ホールドスペース前端の両側壁にはそれぞれ内向きに突出する突起が形成され、突起の後端下部には後ろ向きに突出する突起台が形成され、その突起台後壁は底壁と弧形を呈するスライド部を形成する。当該突起台は外側に収容部を設け、その収容部は突起台のトップ面と互いに貫通し、且つ当該収容部は後ろ向きにそのホールドスペースと連通している。複数の導電端子は、その本体のホールドスペース内に挿入されている。シールドケースは、その本体外部に止め合わされ、そのシールドケースのトップ面前端の両側はまっすぐ下向きに折れ曲がって一対のストッパー片となり、そのストッパー片の下端は前向きに折れ曲がって弧形の指状部となり、その指状部はその収容部底部と近く、また収容部の後方に位置している。
【０００８】
上記のように、本考案のジャックコネクタは、シールドケースのストッパー片の弧形指状部が本体突起台の弧形スライド部と配合することにより、ジャックコネクタと接続されたプラグが思いがけず引っ張られた時、プラグのロック片がストッパー片の指状部から突起台のスライド部方向へ滑り、また続けて外側へ滑って、最後にジャックコネクタのホールドスペースから退出する。そのため、プラグとジャックコネクタを分離するのが簡単で、さらにはジャックコネクタと接続された装置が引っ張られて動いたり、落ちて破損することが避けられる。同時に思いがけずプラグが引っ張られて、ジャックコネクタが破損して使用できなくなることを防止する。
【課題を解決するための手段】
【０００９】
請求項１の考案は、本体、複数の導電端子及び複数の導電端子を含み、
本体は挿入接続面を有し、挿入接続面は後ろ向きにホールドスペースを設け、  ホールドスペースの両側壁にはそれぞれ内向きに突出する突起を形成し、
複数の導電端子は本体のホールドスペース内に挿入して設置し、
シールドケースは本体外部に止め合わされ、
その特徴は、当該突起の後端下部が後ろ向きに突出して突起台を形成し、その突起台の後壁が底壁と弧形ブリッジを呈するスライド部を形成し、その突起台は外側に収容部を設け、その収容部は突起台のトップ面と互いに貫通し、且つその収容部は後ろ向きにそのホールドスペースと連通し、そのシールドケースのトップ面前端の両側はまっすぐ下向きに折れ曲がり一対のストッパー片を形成し、各ストッパー片の下端は前向きに折れ曲がり弧形の指状部をなし、その指状部はその収容部の底部と近く、また収容部の後方に位置することを特徴とするジャックコネクタとしている。
請求項２の考案は、当該突起台のトップ面外側が上下貫通してその収容部を形成し、当該ストッパー片下端の外側は前向きに折れ曲がってその指状部を形成し、指状部はその収容部内に置かれることを特徴とする請求項１記載のジャックコネクタとしている。
請求項３の考案は、当該突起台トップ面の外側が下向きに凹んで収容部を形成し、収容部底部は突起台のトップ面より低くて、当該ストッパー片の外側下端は前向きに折れ曲がってその指状部を形成し、当該指状部はその収容部内に置かれ、そのストッパー片の内側下端をカットすると共に突起台トップ面の上方に位置することを特徴とする請求項１記載のジャックコネクタとしている。
請求項４の考案は、さらにその本体のホールドスペース内に組み込まれる端子台を包括し、その端子台内には複数の端子スロットが設けられ、その複数の端子は複数の端子スロット内に挿入設置されることを特徴とする請求項１記載のジャックコネクタとしている。
請求項５の考案は、当該本体が底台及び蓋を包括し、その端子のホールドスペースがその底台内に設けられ、そのシールドケースは上シールドケース及び下シールドケースを包括することを特徴とする請求項１記載のジャックコネクタとしている。
請求項６の考案は、当該底台が二つの側壁を有し、その側壁は台型凹口を設け、当該台型凹口はそのホールドスペースと連通し、その台型凹口内には弾性耐圧片が設けられ、当該弾性耐圧片は水平な弾性トップホールド部を有すると共にそのホールドスペース内へ突き出していることを特徴とする請求項５記載ののジャックコネクタとしている。
請求項７の考案は、当該側壁には長型ノッチを開けると共に当該ホールドスペースと互いに連通し、その下シールドケースの各側は内向きに突き出して弾性クリップ片を形成し、当該弾性クリップ片はその長型ノッチを貫通すると共にそのホールドスペース内へ突き出していることを特徴とする請求項６記載ののジャックコネクタとしている。
【考案の効果】
【００１０】
本考案ジャックコネクタは、シールドケースのストッパー片の弧形指状部が本体突起台の弧形スライド部と配合することにより、ジャックコネクタと接続されたプラグが思いがけず引っ張られた時、プラグのロック片がストッパー片の指状部から突起台のスライド部方向へ滑り、また続けて外側へ滑って、最後にジャックコネクタのホールドスペースから退出する。そのため、プラグとジャックコネクタを分離するのが簡単で、さらにはジャックコネクタと接続された装置が引っ張られて動いたり、落ちて破損することが避けられる。同時に思いがけずプラグが引っ張られて、ジャックコネクタが破損して使用できなくなることを防止する。
【考案を実施するための最良の形態】
【００１１】
図１を参照。本考案のジャックコネクタ１は、本体２０、本体２０内に設置される端子モジュール３０、及び本体２０と止め合わされるシールドケースを包括する。本体２０前端面は挿入接続面とし、挿入接続面は後ろ向きにホールドスペース２１を設ける。端子モジュール３０は端子台３１を包括し、端子台３１内部に複数の端子スロット３２を設け、内部に複数の端子４０を収納し、且つ当該端子モジュール３０は本体２０のホールドスペース２１の後部に収容される。シールドケースは下シールドケース５０及び上シールドケース６０を包括し、上下シールドケース６０、５０は本体２０の外に止め合わされる。複数の弾性耐圧片７０が本体２０の両側に設けられ、且つ本体２０のホールドスペース２１内に突出している。
【００１２】
図１及び図２参照。本体２０は下部の底台２２及び上部の蓋２４を包括する。底台２２は二つの側板２２１を有し、各側板２２１上部に台型凹口２２２を設け、側板２２１は台型凹口２２２の下方に水平に長型ノッチ２２３を設ける。台型凹口２２２及び長型ノッチ２２３は共に側板２２１を貫通し、また、ホールドスペース２１と互いに連通している。側板２２１下部に前後二個の取り付け突起２２４を設け、側板２２１の後ろ上方に角型のロック用スロット２２５を設けて、ロック用スロット２２５外側にはロック用ブロック２２６を設ける。ロック用ブロック２２６下方に挿入部２２７を設け、外部回路板(図は未表示)上に挿入する。側板２２１の前端上部は垂直上向きに突出し、まっすぐなブロック板２２８を形成する。まっすぐなブロック板２２８の後ろ側下部と側板２２１が接続するところに取り付けスロット２２９が設けられている。ホールドスペース２１の両側の挿入接続面には、側板２２１からホールドスペース２１の内向きに互いに向き合って突出する一対の突起２３０が設置される。突起台２３１のトップ端面は水平面とし、突起台２３１の後端面は突起２３０の底端面と弧形をなしてスライド部２３３を形成する。突起台２３１は外側部に下向きに凹んだ収容部２３２を設け、収容部２３２は上向きに突起台２３１のトップ面と貫通し、収容部は後ろ向きにホールドスペース２１と連通している。具体的に実施する際、収容部２３１は突起台２３１と上下に貫通することができ、収容部２３２を下向きに外部と連通させることもできる。底台２２の後ろ側には後端板２３５が設置され、その後端板２３５下部には複数の貫通孔２３４が設けられ、複数の端子４０を通すのに供すると共に外部と連通させる。
【００１３】
再度、図１を参照。本体２０の蓋２４はプレート２４１を有し、プレート２４１後端の両側にはそれぞれ外向きに突出するフック２４２を設け、蓋２２後端のロック用ブロック２２６と互いに配合させる。プレート２４１は中後部下方に下向きに突出する取り付けストッパー２４６が形成され、取り付けストッパー２４６は底台２２後端板２３５の前端面に当てる。プレート２４１前端の両側は前向きに延長して二つの前端アーム２４３を形成し、その二つの前端アーム２４３は前端上部において互いに向き合って延長し一対のストッパーアーム２４４を形成する。二つの前端アーム２４３は前端下部に前向き突出して一対のフック突起２４５を形成し、底台２２の取り付けスロット２２９と互いに配合している。
【００１４】
図２を参照。本考案のジャックコネクタ１の端子モジュール３０は端子台３１及び端子台３１内部に挿入される複数の端子４０を包括する。端子台３１内部には複数の端子スロット３２を設け、具体的な実施例において、端子台３１は上下二片の止め合わせ構造を採用することができ、その中で複数の端子４０を対応して収納する。またプラスチック注入方式を採用して、複数の端子４０を端子台３１内にプラスチック注入して一体とすることもできる。各端子４０は水平取り付け部４１を有し、水平取り付け部４１の前端は後ろ向きに折れ曲がって傾斜した接触部４２を形成する。水平取り付け部４１の後端はまっすぐ上向きに延長し、また後ろ向きに折れ曲がって水平の溶接部４３を形成し、外部回路板に溶接して、電気的導通を達成する。
【００１５】
続けて図１を参照。本考案のジャックコネクタ１のシールドケースの下シールドケース５０は二つの側壁５１を有する。各側壁５１上部は前後二つの止め合わせ穴５２を有し、側壁５１はほぼ中央部に長穴５３を開けて、底台２２の長型ノッチ２２３と互いに配合させ、且つ側壁５１は当該長穴５３前端に内向きに突出するクリップ片５４を有し、クリップ片５４は底台２２の長型ノッチ２２３を通過して、本体のホールドスペース２１内へ入る。長穴５３後方に取り付け片５５を設けて、外部回路板上に挿入する。側壁５１下部には前後二個の取り付け穴５６を開け、底台２２の側板２２１下部の取り付け突起２２４と互いに配合させる。
【００１６】
上シールドケース６０はトッププレート６１を有し、トッププレート６１は両側からそれぞれ下向きに折れ曲がり、各側において前後を隔てる前側壁６２及び後側壁６３を形成し、且つその前後側壁６２、６３の下方にそれぞれ内向きに止め合せフック６４を設けて、下シールドケース５０の側壁５１上部のフック穴５２と互いに配合させる。トッププレート６１は前端で垂直下向きに折れ曲がり、二つの対称の弾性的ストッパー片６５を形成する。各ストッパー片６５は下端外側を下向きに延長して内側より低くなり、また前向きに弧形を呈して折れ曲がって指状部６６を形成する。
【００１７】
図１を参照。弾性耐圧片７０は水平部７１を有し、水平部７１の前端は下向き後方へ折れ曲がり、また末端は弾性耐圧部７２を形成する。
【００１８】
本考案のジャックコネクタ１を取り付ける際は、まず複数の端子４０を端子台３１の端子スロット３２内に対応させて取り付け、端子モジュール３０として組立てる。さらに端子モジュール３０を底台２２のホールドスペース２１内に組み込み、端子４０後端の溶接部４３は後端板２３５の貫通孔２３４を通過して、さらに底台２２外部へ伸びて、外部回路板と互いに溶接される。さらに弾性耐圧片７０を底台２２側板２２１の台型凹口２２２内に設置すると共に、弾性耐圧部７２を底台のホールドスペース２１内に置かせる。蓋２４の取り付けストッパー２４６はホールドスペース２１内に挿入され、また後ろ向きに底台２２の後端板２３５の前端面に当てる。蓋２４前端の前端アーム２４３は底台２２のまっすぐなブロック板２２８に前向きに当て、前端アーム２４３下方のフック突起２４５は底台２２の取り付けスロット２２９内に取り付ける。同時に蓋２４後端両側のフック２４２は底台２２の側板２２１の後ろ上方のロック用スロット２２５を通過すると共に、ロック用ブロック２２６と互いに止め合わさり、そうして蓋２４と底台２２の止め合わせ組立てを完成する。その後、下シールドケース５０は本体２０の下部に取り付けられ、また底台２２下部の取り付け突起２２４は下シールドケース５０の側壁５１下部の取り付け穴５６と互いに止め合わされ、下シールドケース５０のクリップ片５４は底台２０の側板２２の台型凹口２２２を通過して、ホールドスペース２１内へ入る。その後、上シールドケース６０を止め合わせ、並びに上シールドケース６０の止め合わせフック６４は下シールドケース５０の側壁５１上部のフック穴５２と互いに止め合わされる。この時、上シールドケース６０前端の弾性ストッパー片６５は後ろ向きに、蓋２４前端のストッパーアーム２４４を止め合わせ、且つ底台２２前部の突起台２３１の後ろ上方に位置する。弾性ストッパー片６５の指状部６６は突起台２３１外側の収容部２３２の後ろ上方に位置する。これで本考案のジャックコネクタ１の組み立てが完成する。
【００１９】
図５から図１０を参照。本考案のジャックコネクタ１を使用する時は、プラグ８０の押さえ用板を押さえ、ロック片８２に弾性変形を起させ、プラグ８０をジャックコネクタ１のホールドスペース２１内へ挿入する。この時、上シールドケース６０前端の弾性ストッパー片６５の指状部６６は後ろ向きにプラグ８０の弾性ロック片８２前端のトップホールド部８４に当て、プラグ８０をジャックコネクタ１のホールドスペースから容易に滑り出さないようにする。同時にジャックコネクタ１両側のクリップ片５４がプラグ８０の両側を挟み、ジャックコネクタ１内部の弾性耐圧片７０の弾性耐圧部７２がプラグ８０の上端面に下向きに当て、プラグ８０の金属接触端がジャックコネクタ１の端子４０と互いに接触する。外部の力がプラグ８０と互いに接続するケーブルに作用する時、プラグ８０の弾性ロック片８２前端のトップホールド部８４がストッパー片６５の指状部６６に前向きに当て、同時に指状部６６及び弾性ストッパー片６５に弾性変形を起させ、続いてプラグ８０が弧形の指状部６６に当てる。また、外部の力でさらに外向きに引っ張られると、指状部６６に沿って弧形のスライド部２３３の方向へ下向きに滑るとともに、弧形スライド部２３３に沿ってさらに外へ滑り出し、このようにしてプラグ８０はジャックコネクタ１内からスムーズに退出する。  
【００２０】
上記からわかるように、本考案のジャックコネクタ１は、本体２０に設置される突起台２３１の後端面が突起２３０の底端面と形成する弧形のスライド部２３３と、上シールドケース６０前端が下向きに突出する弾性ストッパー片６５及び指状部６６により、指状部６６を突起台２３１と配合してスライド部２３３に接近させる。これにより、ジャックコネクタ１に挿入されたプラグ８０が思いがけない引っ張り作用を受けた時、プラグ８０のトップホールド部８４は弾性的指状部６６に当てると共に、指状部６６に沿って下向きにスライド部２３３まで滑り、これにより、プラグ８０をスピーディーにジャックコネクタ１から外すことができる。そのため、周知の技術のプラグ８０は外部の力の作用を受けた時、プラグ８０のトップホールド部８４がプラグのストッパー部に当てるため、そのストッパー部に沿って滑り出すことができず、周知のジャックコネクタを取り付けた電子製品が引っ張られ、またジャックコネクタが破損を受ける状況を避けられる。
【図面の簡単な説明】
【００２１】
【図１】本考案のジャックコネクタの分解図である。
【図２】本考案のジャックコネクタの本体底台の立体図である。
【図３】図２中Ａ部分の拡大図である。
【図４】本考案のジャックコネクタの立体図である。
【図５】図４中、Ｂ−Ｂ線で切った断面図である。
【図６】図５中Ｃ部分の拡大図である。
【図７】本考案のジャックコネクタと適合するプラグを本考案のジャックコネクタの後ろに挿入した立体図である。
【図８】図７中Ｄ−Ｄ線で切った断面図である。
【図９】図７中Ｅ−Ｅ線で切った断面図である。
【図１０】本考案のジャックコネクタと適合するプラグの立体図である。
【符号の説明】
【００２２】
１  ジャックコネクタ
２０  本体
２１  ホールドスペース
２２１  側板
２２２  台型凹口
２２３  長型ノッチ
２２４  取り付け突起
２２５  ロック用スロット
２２６  ロック用ブロック
２２７  挿入部
２２８  ブロック板
２２９  取り付けスロット
２３０  突起
２３１  突起台
２３２  収容部
２３３  スライド部
２３４  貫通孔
２３５  後端板
２４  蓋
２４１  プレート
２４２  フック
２４３  前端アーム
２４４  ストッパーアーム
２４５  フック突起
２４６  取り付けストッパー
３０  端子モジュール
３１  端子台
３２  端子スロット
４０  端子
４１  水平取り付け部
４２  接触部
４３  溶接部
５０  下シールドケース
５１  側壁
５２  フック穴
５３  長穴
５４  クリップ片
５５  取り付け片
５６  取り付け穴
６０  上シールドケース
６１  トッププレート
７０  弾性耐圧片
７１  水平部
７２  弾性耐圧部
８０  プラグ
８１  角型ブロック
８２  ロック片
８３  押さえ用板
８４  トップホールド部
【図１】
0003124414.tif 000003
【図２】
0003124414.tif 000004
【図３】
0003124414.tif 000005
【図４】
0003124414.tif 000006
【図５】
0003124414.tif 000007
【図６】
0003124414.tif 000008
【図７】
0003124414.tif 000009
【図８】
0003124414.tif 000010
【図９】
0003124414.tif 000011
【図１０】
0003124414.tif 000012